(57)【要約】【課題】利便性の高い組合せ作成支援システム、特にゴルフコンペ支援システムを提供する。【解決手段】組合せ作成支援システムは、組合せを要する企画に参加する複数のプレーヤーの組合せを作成するシステムであって、前記プレーヤーに関する情報が入力される情報入力手段と、前記情報入力手段に入力された情報に基づいて複数の前記プレーヤーを複数の組に分けて組合せを作成する組合せ作成手段と、を有し、前記組合せ作成手段は、異なる組合せを作成することができる。また、前記組合せ作成手段は、選択可能な複数の条件を有し、選択された条件によって、作成する組合せを変化させる。【選択図】図１
2019114218.tif 000002
【特許請求の範囲】
【請求項１】
組合せを要する企画に参加する複数のプレーヤーの組合せを作成する組合せ作成支援システムであって、
前記プレーヤーに関する情報が入力される情報入力手段と、
前記情報入力手段に入力された情報に基づいて複数の前記プレーヤーを複数の組に分けて組合せを作成する組合せ作成手段と、を有し、
前記組合せ作成手段は、異なる組合せを作成することができることを特徴とする組合せ作成支援システム。
【請求項２】
前記組合せ作成手段は、選択可能な複数の条件を有し、
選択された条件によって、作成する組合せを変化させる請求項１に記載の組合せ作成支援システム。
【請求項３】
前記組合せ作成手段は、繰り返し組合せを作成可能であり、
前回作成した組合せとは異なる組合せを作成する請求項１または２に記載の組合せ作成支援システム。
【請求項４】
前記組合せ作成手段は、組合せ中の任意のプレーヤー同士を入れ替えることができる請求項１ないし３のいずれか１項に記載の組合せ作成支援システム。
【発明の詳細な説明】
【技術分野】
【０００１】  本発明は、組合せ作成支援システム、特にゴルフコンペの組合せの作成を支援するゴルフコンペ支援システムに関するものである。
【背景技術】
【０００２】  ゴルフコンペを開催しようとする場合、幹事は、ゴルフ場の確保に加えて、コンペ参加者の組合せを作成する必要がある。組合せは、スムーズな進行を実現するために参加者のハンディキャップ（以下「ＨＣ」という）、性別、年齢等を考慮して、全ての組が均等な進行速度となるように作成する必要があり、その作成に多くの時間および労力を割く必要がある。そこで、組合せの作成に掛かる時間および労力を削減するシステムとして、例えば、特許文献１に記載されているゴルフコンペ支援システムが発明されている。特許文献１に記載のゴルフコンペ支援システムは、コンピューターが参加者のＨＣに基づいて、全ての組の平均ＨＣがなるべく均等になるように組合せを作成するシステムである。
【先行技術文献】
【特許文献】
【０００３】
【特許文献１】特開２００４−３４８２９７号公報
【発明の概要】
【発明が解決しようとする課題】
【０００４】  しかしながら、特許文献１に記載されているゴルフ支援システムでは、参加者のＨＣだけに基づいて組合せを作成するため、性別、年齢、出身地、居所、職業、趣味等、ＨＣ以外の要素を考慮した組合せを作成することができず、例えば、特定の組に女性（同姓）が偏ったり、若者（同年代）が偏ったりするおそれがある。スムーズな進行を実現することはもちろん大切な事ではあるが、普段一緒にプレーできないような歳の離れた人や異性と一緒にプレーすることもゴルフコンペの醍醐味である。このようなことから、特許文献１に記載されているゴルフ支援システムは、理想的な組合せを作成することが困難で、利便性が低いと言える。【０００５】  本発明の目的は、利便性の高い組合せ作成支援システムを提供することにある。
【課題を解決するための手段】
【０００６】  （１）  組合せを要する企画に参加する複数のプレーヤーの組合せを作成する組合せ作成支援システムであって、
前記プレーヤーに関する情報が入力される情報入力手段と、
前記情報入力手段に入力された情報に基づいて複数の前記プレーヤーを複数の組に分けて組合せを作成する組合せ作成手段と、を有し、
前記組合せ作成手段は、異なる組合せを作成することができることを特徴とする組合せ作成支援システム。【０００７】  （２）  前記組合せ作成手段は、選択可能な複数の条件を有し、
選択された条件によって、作成する組合せを変化させる上記（１）に記載の組合せ作成支援システム。【０００８】  （３）  前記組合せ作成手段は、繰り返し組合せを作成可能であり、
前回作成した組合せとは異なる組合せを作成する上記（１）または（２）に記載の組合せ作成支援システム。【０００９】  （４）  前記組合せ作成手段は、組合せ中の任意のプレーヤー同士を入れ替えることができる上記（１）ないし（３）のいずれか１項に記載の組合せ作成支援システム。
【発明の効果】
【００１０】  本発明によれば、組合せ作成手段が異なる組合せを作成することができるため、使用者に対してより最適な組合せを提供することができる。そのため、利便性の高い組合せ作成支援システムとなる。
【図面の簡単な説明】
【００１１】
【図１】本発明の組合せ作成支援システムの全体を示す構成図である。
【図２】組合せ作成支援システムが作成するＷｅｂページを示す図である。
【図３】組合せ作成支援システムが作成するＷｅｂページを示す図である。
【図４】組合せ作成支援システムが作成するＷｅｂページを示す図である。
【図５】組合せ作成支援システムが作成するＷｅｂページを示す図である。
【図６】組合せ作成支援システムが作成するＷｅｂページを示す図である。
【図７】組合せ作成支援システムが作成するＷｅｂページを示す図である。
【図８】組合せ作成支援システムが作成するＷｅｂページを示す図である。
【図９】組合せ作成支援システムが作成するＷｅｂページを示す図である。
【図１０】組合せ作成支援システムが作成するＷｅｂページを示す図である。
【図１１】組合せ作成支援システムが作成するＷｅｂページを示す図である。
【図１２】組合せ作成支援システムが作成するＷｅｂページを示す図である。
【図１３】組合せ作成支援システムが作成するＷｅｂページを示す図である。
【図１４】組合せ作成支援システムが作成するＷｅｂページを示す図である。
【図１５】組合せ作成支援システムが作成するＷｅｂページを示す図である。
【図１６】組合せ作成支援システムが作成するＷｅｂページを示す図である。
【発明を実施するための形態】
【００１２】  以下、本発明の組合せ作成支援システムをゴルフコンペの組合せを作成するために用いられる「ゴルフコンペ支援システム」として適用した場合について説明する。なお、以下では、説明の便宜上、ゴルフコンペを主催する者を「幹事Ｋ」とし、ゴルフコンペに参加する者を「プレーヤーＰ」とし、ゴルフコンペを開催するゴルフ場を「ゴルフ場Ｇ」とする。
【００１３】  ゴルフコンペ支援システム１を提供するサーバーＳは、プロセッサー（ＣＰＵ）、メインメモリー、ＨＤＤ等の補助記憶装置を備えたコンピューターであって、補助記憶装置に格納されたプログラムがメインメモリーに読み出され、プロセッサーで演算処理を実装することによって所定の機能が実現される。サーバーＳは、インターネットに接続され、ネットワーク端末と更新可能な通信機能と、インターネット上にＷｅｂページを公開することが可能なＷｅｂサーバーの機能と、を備えるものである。幹事Ｋ、プレーヤーＰおよびゴルフ場Ｇは、それぞれ、インターネットに接続可能なＰＣ、スマートフォン、タブレット型コンピューター等の各種ネットワーク端末を用いてサーバーＳにアクセスすることができる。ただし、サーバーＳとしては、ゴルフコンペ支援システム１を提供することができれば、特に限定されない。
【００１４】  ゴルフコンペ支援システム１は、ブラウザさへ有していれば、すなわちインターネットに接続可能な環境さえあれば実行できるシステムであり、使用する場所が限定されず、高い利便性を有している。特に、特定のアプリケーション（所謂「アプリ」）をネットワーク端末にインストールする必要がないため、アプリケーションがインストールされている端末に限定されず、あらゆる環境下で実行することができる。
【００１５】  このようなゴルフコンペ支援システム１は、図１に示すように、コンペの詳細を公開するコンペ情報公開手段２と、コンペに参加するプレーヤーＰの情報を入力する情報入力手段３と、情報入力手段３に入力された各プレーヤーＰの情報に基づいて組合せを作成する組合せ作成手段４と、プレーヤーＰやゴルフ場Ｇに公開する情報を作成する公開情報作成手段５と、を有している。
【００１６】  ［コンペ情報公開手段２］
ゴルフコンペを主催する幹事Ｋは、ネットワーク端末からサーバーＳにアクセスしてゴルフコンペ情報の入力ページを呼び出し、必要な情報を入力した後、サーバーＳへ送信する。コンペ情報公開手段２は、入力ページに入力された情報に基づいてゴルフコンペのメインページとなるＷｅｂページ１０１を作成し、Ｗｅｂページ１０１に固有のＵＲＬ（Ｕｎｉｆｏｒｍ  Ｒｅｓｏｕｒｃｅ  Ｌｏｃａｔｏｒ）を割り当ててインターネット上に公開する。Ｗｅｂページ１０１としては、特に限定されないが、例えば、図２に示すように、コンペ名、開催日、会場、申込み締切日、主催者、料金情報、内容が表示される。また、Ｗｅｂページ１０１にはコンペに参加するための申込みボタンＢ１が設けられている。
【００１７】  Ｗｅｂページ１０１に表示されたゴルフコンペに参加を希望するプレーヤーＰは、申込みボタンＢ１を押下する。コンペ情報公開手段２は、申込みボタンＢ１が押下（クリック／タッチ）されると、図３に示すような連絡先メールアドレスの登録を要求するＷｅｂページ１０２をプレーヤーＰの端末に表示する。Ｗｅｂページ１０２には、連絡先メールアドレスを入力する欄と、入力した連絡先メールアドレスを登録するための登録ボタンＢ２が設けられている。登録ボタンＢ２が押下されると、コンペ情報公開手段２は、入力欄に入力されたメールアドレスを登録し、登録したメールアドレスに、プレーヤーＰの情報を入力するためのＷｅｂページ１０３のＵＲＬを送信する。ただし、コンペ情報公開手段２は、メールアドレスの登録を要求することなく、Ｗｅｂページ１０３に移動してもよい。
【００１８】  ［情報入力手段３］
情報入力手段３は、Ｗｅｂページ１０３を作成し、作成したＷｅｂページ１０３に固有のＵＲＬを割り当ててインターネット上に公開する。なお、プレーヤーＰは、コンペ情報公開手段２によってメールで通知されるＵＲＬからＷｅｂページ１０３に移動することができる。Ｗｅｂページ１０３では、例えば、図４に示すように、プレーヤーの氏名、ふりがな、連絡先（メールアドレス／電話番号）、性別、生年月日、平均スコア、ニックネーム、コメントが入力できるようになっている。また、Ｗｅｂページ１０３にはプレーヤーＰの情報を登録するための登録ボタンＢ３が設けられている。
【００１９】  なお、Ｗｅｂページ１０３において入力可能な情報としては、上記に挙げた情報に限定されず、それ以外にも、例えば、職業、会社名、役職、居所、出身地、趣味、血液型、身長、体重、使用クラブのメーカー、既婚／独身（独身であれば恋人の有無）等が挙げられる。Ｗｅｂページ１０３で入力させる情報は、例えば、幹事Ｋが、ゴルフコンペの目的によって適宜選択できるようになっていてもよい。このように、プレーヤーＰに関する種々の情報（最低限必要な情報）を取得することで、組合せ作成手段４によって、より最適な組合せを作成することが可能となる。
【００２０】  登録ボタンＢ３が押下されると、情報入力手段３は、Ｗｅｂページ１０３に入力された情報を保存する。そして、情報入力手段３は、コンペに申し込んだ全プレーヤーＰの情報をまとめたＷｅｂページ１０４を作成し、作成したＷｅｂページ１０４に固有のＵＲＬを割り当ててインターネット上に公開する。Ｗｅｂページ１０４としては、特に限定されないが、例えば、図５に示すように、プレーヤーＰ毎に、氏名、ふりがな、連絡先（メールアドレス／電話番号）、性別、生年月日、平均スコア、ニックネームが一覧となって表示されたページとすることができる。また、Ｗｅｂページ１０４には、組合せの作成に進むための組合せ作成ボタンＢ４が設けられている。
【００２１】  ［組合せ作成手段４］
組合せ作成手段４は、組合せを作成するためのＷｅｂページ１０５を作成し、作成したＷｅｂページ１０５に固有のＵＲＬを割り当ててインターネット上に公開する。幹事Ｋは、Ｗｅｂページ１０４に設けられた組合せ作成ボタンＢ４を押下することでＷｅｂページ１０５に移動することができる。
【００２２】  組合せ作成手段４は、組合せを作成するための複数のパターン２００を有しており、各パターン２００で組合せを作成する際の優先事項が異なっている。パターン２００としては、特に限定されないが、例えば、本実施形態では、図６に示すように「男女比均等＋スコア平均化」、「男女比均等＋スコアランダム」、「男女比均ランダム＋スコア平均化」および「全てランダム」の計４つのパターン２００が設定されており、これら４つのパターン２００から１つを幹事Ｋが選択できるようになっている。
【００２３】  また、組合せ作成手段４は、組合せを作成する際に、指定されたプレーヤーＰ同士を同組としない、すなわち別々の組にする別組機能８００（ＮＧ機能）と、反対に、指定されたプレーヤー同士を同組とする同組機能９００と、を有している。別組機能８００は、特に限定されないが、例えば、図６に示すように、Ｗｅｂページ１０５に、同組としないプレーヤーＰを入力（指定）する欄を有している。また、同組機能９００は、特に限定されないが、例えば、図６に示すように、Ｗｅｂページ１０５に、同組とするプレーヤーＰを入力（指定）する欄を有している。
【００２４】  幹事Ｋは、同組としないプレーヤーＰが存在する場合には、それらプレーヤーＰを特定できる情報（例えば、登録された氏名、ニックネーム等）を別組機能８００の欄に入力し、同組とするプレーヤーＰが存在する場合には、それらプレーヤーＰを特定できる情報（例えば、登録された氏名、ニックネーム等）を同組機能９００の欄に入力する。なお、別組とするプレーヤーＰおよび同組とするプレーヤーＰについては、過去のコンペの組合せやプレーヤーＰ同士の関係（仲が良い悪い）等を考慮して設定することができる。また、例えば、Ｗｅｂページ１０３のコメント欄にその旨の要望が入力されている場合には、それを考慮することもできる。
【００２５】  また、Ｗｅｂページ１０５には、組合せを作成するための実行ボタンＢ５が設けられており、実行ボタンＢ５が押下されると、組合せ作成手段４は、保存された各プレーヤーＰの情報と、選択されたパターン２００と、別組機能８００および同組機能９００で指定された情報と、に基づいて組合せ３００を作成する。そして、組合せ作成手段４は、Ｗｅｂページ１０５を更新することで、図７に示すように、作成した組合せ３００をＷｅｂページ１０５に表示する。
【００２６】  なお、本実施形態では「男女比均等＋スコア平均化」が選択されたため、作成された組合せ３００は、各組が男性と女性の混成となっており、さらに、各組の平均スコアの差が十分に小さくなっている。また、本実施形態では、佐藤○郎と清水○絵とを同組としないように指定されており、佐藤○郎と石川○介とを同組とするように指定されている。そのため、佐藤○郎と清水○絵とが第１組と第２組とに分かれており、佐藤○郎と石川○介とが同じ第１組となっている。また、Ｗｅｂページ１０５では、各組の平均スコアが合わせて表示され、男性と女性とが色分けされている。これにより、幹事Ｋは、各組の構成（氏名、平均スコアおよび男女比）を容易に確認することができる。
【００２７】  なお、「スコア平均化」については、各組の平均スコアの差が最も小さくなる必要はなく、例えば、最も低い平均スコアと最も高い平均スコアとの差が１５打以内となる範囲の中で組合せを作成すればよい。これにより、組合せ３００の自由度が増す。また、パターン２００の表示方法は、特に限定されず、例えば、「男女比均等」、「スコア平均化」が表示されており、ここから１つまたは複数を選択できるようになっていてもよい。
【００２８】  また、例えば、コンペの組数に対して別組機能８００で指定されたプレーヤーＰの数が多い場合等には、別組機能８００で指定されたプレーヤーＰのすべてを別組にすることができない場合がある。その場合、組合せ作成手段４は、組合せ３００を作成せずに、Ｗｅｂページ１０５にその旨を表示して幹事Ｋに報知し、幹事Ｋに対して別組機能８００で指定するプレーヤーＰの数を減らすよう促してもよい。また、組合せ作成手段４は、別組機能８００をキャンセル（無視）して組合せ３００を作成し、Ｗｅｂページ１０５に組合せ３００と共にその旨（別組機能８００をキャンセルした旨）を表示してもよい。また、組合せ作成手段４は、別組機能８００で指定されたプレーヤーＰのできるだけ多く（一部）が別組となるように組合せ３００を作成し、Ｗｅｂページ１０５に組合せ３００と共にその旨（別組機能８００で指定されたプレーヤーＰのうちの一部のプレーヤーＰだけを別組とした旨）および別組に出来なかったプレーヤーＰの情報を表示してもよい。この場合には、組合せ作成手段４は、別組機能８００に優先順位を設定し（例えば、図６で示す「１」から順に優先順位が下がっていく設定とし）、優先順位の高いプレーヤーＰ順に優先的に別組とすることで組合せ３００を作成してもよい。上記の説明は、同組機能９００についても同じように適用することができる。
【００２９】  また、組合せ作成手段４は、何度でも組合せを作成し直すことができる。組合せ３００を作成した後に、実行ボタンＢ５が再び押下されると、組合せ作成手段４は、過去（少なくとも前回）に作成した組合せとは異なる組合せを新たに作成し、Ｗｅｂページ１０５を更新することで、新たに作成した組合せをＷｅｂページ１０５に表示する。この際、幹事Ｋは、パターン２００を前回から変更することもできるし、パターン２００を前回のまま維持することもできる。すなわち、例えば、パターン２００を「全てランダム」に変更した上で組合せ３００を作成し直すこともできるし、「男女比均等＋スコア平均化」のまま組合せ３００を作成し直すこともできる。例えば、新たに「全てランダム」が選択されれば、組合せ作成手段４は、図８に示すように、男女比および平均スコアがばらばらな組合せ３０１を新たに作成し、「男女比均等＋スコア平均化」が選択されていれば、図９に示すように、前回と同様に、各組が男性と女性の混成となっており、各組の平均スコアの差も十分に小さくなってはいるが、前回の組合せ３００とは異なる組合せ３０１を新たに作成する。このように、組合せ作成手段４によって、組合せを何度でも作成し直すことで、より最適な組合せを幹事Ｋに提供することができる。
【００３０】  なお、本実施形態では、Ｗｅｂページ１０５に最新の組合せしか表示されないが、これに限定されず、例えば、前回、前々回等、過去に作成した組合せについても合わせて表示してもよい。そして、これら表示された複数の組合の中から、１つの組合せを選択できるようになっていてもよい。これにより、幹事Ｋが複数の組合せを比較し易くなり、より最適な組合せを幹事Ｋに提供し易くなる。
【００３１】  さらに、組合せ作成手段４は、作成した組合せ中の任意のプレーヤー同士を入れ替えることもできる。図７ないし図９に示すように、Ｗｅｂページ１０５に表示された組合せ３００、３０１には、プレーヤーＰ毎にチェックボックスが設けられており、チェックボックスをチェックすることで任意のプレーヤーＰを選択できる。組合せ作成手段４は、例えば、図１０に示すように、２名のプレーヤーＰにチェックが入れられると、図１１に示すように、これらプレーヤーＰを入れ替える。このように、任意のプレーヤーＰ同士を入れ替えることで、例えば、夫婦同士を同じ組にしたり、仲の悪いプレーヤー同士を別の組にしたりすることができ、組合せの微調整を行うことができる。なお、プレーヤーＰの入れ替え方法は、特に限定されず、例えば、入れ替えたい一方のプレーヤーＰの欄をドラッグして他方のプレーヤーＰの欄上に移動させることで、これらのプレーヤーＰが入れ替わるようになっていてもよい。
【００３２】  このような組合せ作成手段４によれば、幹事Ｋにパターン２００を選択させることができるため、幹事Ｋの要望に即した組合せを作成することができる共に、作成した組合せを幹事Ｋに修正させる機会を与えることができる。そのため、より理想的な組合せを幹事Ｋに提供することができる。
【００３３】  また、Ｗｅｂページ１０５には、組合せを決定するための決定ボタンＢ６が設けられており、決定ボタンＢ６が押下されると、組合せ作成手段４は、各組のスタート時間およびスタートホール（ＯＵＴ／ＩＮ）を決定するためのＷｅｂページ１０６に移動する。図１２に示すように、例えば、Ｗｅｂページ１０６には、各組のスタート時間およびスタートホール（ＯＵＴ／ＩＮ）を入力する欄とスタート時間間隔を選択する欄とが設けられている。なお、本実施形態では、組合せ作成手段４は、各組のスタートホールおよびＯＵＴ／ＩＮそれぞれの第１組のスタート時間が入力されれば、選択されたスタート時間間隔に基づいて他の組のスタート時間を自動的に計算して入力するようになっている。また、Ｗｅｂページ１０７には、スタート時間およびスタートホール（ＯＵＴ／ＩＮ）を決定するための決定ボタンＢ７が設けられており、決定ボタンＢ７が押下されると、組合せ作成手段４は、入力された情報を保存する。
【００３４】  なお、Ｗｅｂページ１０４、１０５、１０６にはアクセス制限がかかっており、幹事Ｋのみがアクセスできるようになっていることが好ましい。これにより、各プレーヤーＰの個人情報を保護することができる。アクセス制限をかける方法としては、特に限定されないが、例えば、ログインＩＤおよびパスワードの入力によるログイン認証を行う方法がある。また、他の方法としては、Ｃｏｏｋｉｅを利用する方法もある。例えば、幹事Ｋがネットワーク端末を操作してメインページとなるＷｅｂページ１０１を作成した際に、サーバーＳがログインＩＤおよびパスワードに対応した個体識別情報を発行して登録するとともに、この個体識別情報をＣｏｏｋｉｅとして幹事Ｋのネットワーク端末へ送信する。ネットワーク端末のブラウザは、受信したＣｏｏｋｉｅをネットワーク端末に記憶し、次回からのサーバーＳへのアクセスの際には閲覧要求とともにＣｏｏｋｉｅをサーバーＳへ送信する。そのため、情報入力手段３は、ネットワーク端末からアクセス要求を受けた際、Ｃｏｏｋｉｅの個体識別番号が登録済みであるか否かを判断してログイン認証を行うことができる。
【００３５】  ［公開情報作成手段５］
公開情報作成手段５は、組合せ作成手段４が作成した組合せに基づいて、ゴルフ場Ｇに提出するための組合せ表４００を表示するＷｅｂページ１０７（印刷ページ）と、プレーヤーＰに公開するための組合せ表５００を表示するＷｅｂページ１０８（印刷ページ）と、コンペの受付けに用いる参加者一覧表６００を表示するＷｅｂページ１０９（印刷ページ）とを作成し、作成したＷｅｂページ１０７、１０８、１０９にそれぞれ固有のＵＲＬを割り当ててインターネット上に公開する。そして、これらＷｅｂページ１０７、１０８、１０９のＵＲＬをそれぞれ幹事Ｋに報知する。
【００３６】  Ｗｅｂページ１０７に表示する組合せ表４００には、例えば、図１３に示すように、プレーヤーの氏名、性別（色分）、各組のスタート時間およびスタートホール等が記載されている。そのため、幹事ＫがＷｅｂページ１０８のＵＲＬをメール等によってゴルフ場Ｇに知らせれば、ゴルフ場Ｇは、そのＵＲＬから組合せ表４００を確認し、ゴルフ場Ｇの端末に必要事項を登録することができる。ゴルフ場Ｇの登録をさらに容易にするために、組合せ表４００に各プレーヤーのふりがなを表示してもよい。
【００３７】  なお、幹事Ｋは、ゴルフ場ＧにＵＲＬを知らせるのではなく、Ｗｅｂページ１０７を印刷してゴルフ場ＧにＦＡＸまたは郵送してもよい。また、公開情報作成手段５は、Ｗｅｂページ１０７に組合せ表４００を公開するのではなく（または公開した上で）、例えば、組合せ表４００をゴルフ場Ｇにメールで送信してもよい。この際、公開情報作成手段５は、組合せ表４００をＰＤＦ等の各種ファイルにし、そのファイルをメールに添付して送信してもよい。また、公開情報作成手段５は、組合せ表４００を幹事Ｋのメールアドレスに送信し、幹事Ｋからゴルフ場Ｇに送信させるようにしてもよい。
【００３８】  また、図１３に示すＷｅｂページ１０７には、組合せ表４００の他にもハンデ方式、ティー位置、アトラクション等の各種ルールが記載されている。このコンペのルールについては、事前に、幹事Ｋからの入力によって決定されている。具体的には、公開情報作成手段５は、例えば、図１４に示すようなルールを決定するためのＷｅｂページ１１０を作成し、作成したＷｅｂページ１１０に固有のＵＲＬを割り当ててインターネット上に公開する。Ｗｅｂページ１１０で幹事Ｋによってルールが選択され、決定ボタンＢ８が押下されると、公開情報作成手段５は、選択されたルールを保存し、図１３に示すＷｅｂページ１０７に組合せ表４００と共に表示する。これにより、ゴルフ場Ｇに組合せ表４００と同時にルールを報告することができるため、ゴルフ場Ｇの負担を低減することができる。
【００３９】  なお、Ｗｅｂページ１０７にはアクセス制限がかかっており、幹事Ｋおよびゴルフ場Ｇだけがアクセスできるようになっていることが好ましい。これにより、各プレーヤーＰの個人情報を保護することができる。
【００４０】  Ｗｅｂページ１０８に固有のＵＲＬが割り当てられると、公開情報作成手段５は、そのＵＲＬをＷｅｂページ１０１（メインページ）に公開する。これにより、プレーヤーＰは、Ｗｅｂページ１０１から組合せ表５００を確認することができる。Ｗｅｂページ１０８に表示する組合せ表５００には、例えば、図１５に示すように、氏名の代わりにニックネーム（登録されたニックネーム）が表示される。前述のように、組合せ表５００は、Ｗｅｂページから全プレーヤーＰが閲覧可能でるため、組合せ表５００をニックネームで作成することで、インターネット上での個人情報の漏えいを防止することができる。ただし、プレーヤーＰの了解を得ているような場合は、氏名（本名）を表示できるようになっていてもよい。すなわち、組合せ表５００は、組合せ表５００を作成する際に、一括またはプレーヤーＰ毎に表示を本名／ニックネームのどちらかにするかを選択可能であることが好ましい。
【００４１】  なお、公開情報作成手段５は、Ｗｅｂページ１０１（メインページ）にＷｅｂページ１０８のＵＲＬを公開するのではなく、ＵＲＬを各プレーヤーＰにメールで知らせてもよい。また、幹事ＫがＷｅｂページ１０８を印刷し、各プレーヤーＰにＦＡＸまたは郵送してもよい。また、公開情報作成手段５は、Ｗｅｂページ１０８に組合せ表５００を公開するのではなく（または公開した上で）、組合せ表５００を各プレーヤーＰに、登録されたメールアドレス宛にメールで送信してもよい。この際、公開情報作成手段５は、組合せ表５００をＰＤＦ等の各種ファイルにし、そのファイルをメールに添付して送信してもよい。また、公開情報作成手段５は、組合せ表５００を幹事Ｋのメールアドレスに送信し、幹事Ｋから各プレーヤーＰに送信させるようにしてもよい。
【００４２】  また、Ｗｅｂページ１０９に表示する参加者一覧表６００は、例えば、図１６に示すように、プレーヤーの氏名、スタート時間およびスタートホール、受付チェック欄が表示された一覧表となっている。そのため、Ｗｅｂページ１０９を印刷することで、参加者一覧表６００を受付け用紙として用いることができる。
【００４３】  なお、公開情報作成手段５は、Ｗｅｂページ１０９に参加者一覧表６００を公開するのではなく、参加者一覧表６００を幹事Ｋやゴルフ場Ｇにメールで送信してもよい。この際、公開情報作成手段５は、参加者一覧表６００をＰＤＦ等の各種ファイルにし、そのファイルをメールに添付して送信してもよい。
【００４４】  このように、公開情報作成手段５によって、組合せ作成手段４が作成した組合せに基づいた組合せ表４００、組合せ表５００および参加者一覧表６００が作成されるため、ゴルフ場ＧやプレーヤーＰへの連絡等、幹事Ｋの負担を効果的に低減することができる。さらには、ゴルフ場Ｇもコンペ参加者の情報を組合せ表４００としてまとめて得られるため、登録作業が容易となり、その負担も減る。
【００４５】  また、公開情報作成手段５は、組合せ表４００、５００および参加者一覧表６００について、プレーヤーＰの記載順を変更（選択）できる機能を有している。記載順としては、特に限定されず、例えば、ＨＣの少ない順、年齢の高い順、男女順、役職の高い順、あいうえお順等が上げられる。公開情報作成手段５は、例えば、Ｗｅｂページ１０７、１０８、１０９に、それぞれ、幹事Ｋに記載順を選択させるための欄を設け、初めに作成した組合せ表４００、５００および参加者一覧表６００を選択された記載順に応じて作成し直すようになっていてもよいし、組合せ表４００、５００および参加者一覧表６００を作成する前に予め幹事Ｋに選択させるようになっていてもよい。なお、本実施形態では、Ｗｅｂページ１０７、１０８、１０９に、記載順を変更するための選択欄７００が設けられており、選択欄７００から希望の並び順を選択できるようになっている。
【００４６】  例えば、社内のゴルフコンペの場合等には組毎に左側から役職が高いプレーヤー順（例えば、左側から社長、部長、課長、係長の順）に記載した方が組合せ表４００、５００として好ましく（失礼がなく）、上側から役職が高いプレーヤー順に記載した方が参加者一覧表６００として好ましい。また、各世代が集まるゴルフコンペでは組毎に左側から年齢が高いプレーヤー順に記載した方が組合せ表４００、５００として好ましく、上側から年齢が高いプレーヤー順に記載した方が参加者一覧表６００として好ましい。そのため、組合せ表４００、５００および参加者一覧表６００について、プレーヤーＰの記載順を変更できる機能を有することで、ゴルフコンペの目的により適しており、失礼のない組合せ表４００、５００および参加者一覧表６００を作成することができる。
【００４７】  さらに、公開情報作成手段５は、コンペの様子を撮影した写真や動画等をアップすることのできるＷｅｂページ（図示せず）を作成し、作成したＷｅｂページに固有のＵＲＬを割り当ててインターネット上に公開する。当該Ｗｅｂページに固有のＵＲＬが割り当てられると、公開情報作成手段５は、そのＵＲＬをＷｅｂページ１０１（メインページ）に公開する。これにより、各プレーヤーＰは、コンペ終了後にＷｅｂページ１０１から移動することで写真や動画を確認することができる。なお、Ｗｅｂページへの写真や動画のアップは、例えば、幹事Ｋの端末からのみ行えるように制限（例えば、前述したログイン認証やＣｏｏｋｉｅを用いた認証）されていてもよいし、ゴルフ場Ｇ、各プレーヤーＰおよび幹事Ｋのいずれの端末からでも行えるようになっていてもよい。
【００４８】  以上、本発明の組合せ作成支援システムについて、図示の実施形態に基づいて説明したが、本発明はこれに限定されるものではない。例えば、本発明の組合せ作成支援システムでは、各部の構成は、同様の機能を発揮する任意の構成のものに置換することができ、また、任意の構成を付加することもできる。
【００４９】  前述した実施形態では、本発明の組合せ作成支援システムをゴルフコンペ支援システムに適用した場合について説明したが、本発明の組合せ作成支援システムは、ゴルフコンペの組合せを作成するものに限定されず、組合せ（チーム分けを含む）を作成する必要のある全ての企画に適用することができる。本発明の組合せ作成支援システムは、例えば、野球、サッカー、バレーボール、バスケットボール、ゲートボール等の各種スポーツ大会でのチーム分けを作成するシステムとして用いてもよいし、麻雀、トランプ等の各種遊戯大会の組合せを作成するシステムとして用いてもよいし、婚活パーティ、お見合いサイト等の各種マッチングサービスでの組合せを作成するシステムとして用いてもよい。
【符号の説明】
【００５０】１          ゴルフコンペ支援システム
２          コンペ情報公開手段
３          情報入力手段
４          組合せ作成手段
５          公開情報作成手段
１０１      Ｗｅｂページ
１０２      Ｗｅｂページ
１０３      Ｗｅｂページ
１０４      Ｗｅｂページ
１０５      Ｗｅｂページ
１０６      Ｗｅｂページ
１０７      Ｗｅｂページ
１０８      Ｗｅｂページ
１０９      Ｗｅｂページ
１１０      Ｗｅｂページ
２００      パターン
３００      組合せ
３０１      組合せ
４００      組合せ表
５００      組合せ表
６００      参加者一覧表
７００      選択欄
８００      別組機能
９００      同組機能
Ｂ１        申込みボタン
Ｂ２        登録ボタン
Ｂ３        登録ボタン
Ｂ４        組合せ作成ボタン
Ｂ５        実行ボタン
Ｂ６        決定ボタン
Ｂ７        決定ボタン
Ｂ８        決定ボタン
Ｇ          ゴルフ場
Ｋ          幹事
Ｐ          プレーヤー
Ｓ          サーバー
【図１】
2019114218.tif 000003
【図２】
2019114218.tif 000004
【図３】
2019114218.tif 000005
【図４】
2019114218.tif 000006
【図５】
2019114218.tif 000007
【図６】
2019114218.tif 000008
【図７】
2019114218.tif 000009
【図８】
2019114218.tif 000010
【図９】
2019114218.tif 000011
【図１０】
2019114218.tif 000012
【図１１】
2019114218.tif 000013
【図１２】
2019114218.tif 000014
【図１３】
2019114218.tif 000015
【図１４】
2019114218.tif 000016
【図１５】
2019114218.tif 000017
【図１６】
2019114218.tif 000018
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
組合せを要する企画に参加する複数のプレーヤーの組合せを作成する組合せ作成支援システムであって、
前記プレーヤーに関する情報が入力される情報入力手段と、
前記情報入力手段に入力された情報に基づいて複数の前記プレーヤーを複数の組に分けて組合せを作成する組合せ作成手段と、を有し、
前記組合せ作成手段は、ユーザーが選択可能な複数の条件を有し、
前記ユーザーに前記複数の条件から少なくとも１つを選択させ、前記ユーザーが選択した前記条件に基づいて前記組合せを作成し、
前記ユーザーが選択した前記条件が同じであっても、前記ユーザーからの指示に基づいて、前回とは異なる前記組合せを繰り返し作成することができることを特徴とする組合せ作成支援システム。